(57)【要約】【課題】二輪自動車の旋回走行時における横グリップ力を向上させて、磨耗時にも横グリップ力を維持することができるグリップ力と共に、優れた耐摩耗性を備えることができる二輪自動車用空気入りタイヤを提供する。【解決手段】トレッド１１の各サイドウォール１２に隣接する各トレッドショルダー部１１ｂに、表面をトレッド表面に露出させて配置した異種ゴム２１は、タイヤ幅方向におけるトレッド表面に沿う幅をトレッド展開幅の６％以上、２０％以下の範囲とし、サイドウォール側端部を、トレッド端部１１ａからトレッド中央部へ向かう、トレッド展開幅の５％以上、１０％以下の範囲に位置させ、トレッド中央部側に隣接するゴム部材に比べ動的弾性率が低いゴム部材により形成されると共に、各トレッドショルダー部１１ｂに配置されたそれぞれで動的弾性率が異なっている。【選択図】図１
2009051411.tif 000002
【特許請求の範囲】
【請求項１】
一対のビード部の径方向外側に一対のサイドウォールを配置し、該サイドウォール相互間にトレッドを配置した二輪自動車用空気入りタイヤにおいて、
前記トレッドの前記各サイドウォールに隣接する各トレッドショルダー部に、表面をトレッド表面に露出させた異種ゴムを配置し、
前記異種ゴムは、
タイヤ幅方向における前記トレッド表面に沿う幅をトレッド展開幅の６％以上、２０％以下の範囲とし、
サイドウォール側端部を、前記トレッドのサイドウォールとの境界であるトレッド端部からトレッド中央部へ向かう、トレッド展開幅の５％以上、１０％以下の範囲に位置させ、
前記トレッド中央部側に隣接するゴム部材に比べ動的弾性率が低いゴム部材により形成されると共に、前記各トレッドショルダー部に配置されたそれぞれで動的弾性率が異なっている
ことを特徴とする二輪自動車用空気入りタイヤ。
【請求項２】
一対のビード部の径方向外側に一対のサイドウォールを配置し、該サイドウォール相互間にトレッドを配置した二輪自動車用空気入りタイヤにおいて、
前記トレッドの前記各サイドウォールに隣接する各トレッドショルダー部に、表面をトレッド表面に露出させた異種ゴムを配置し、
前記異種ゴムは、
タイヤ幅方向における前記トレッド表面に沿う幅をトレッド展開幅の６％以上、２０％以下の範囲とし、
サイドウォール側端部を、前記トレッドのサイドウォールとの境界であるトレッド端部からトレッド中央部へ向かう、トレッド展開幅の５％以上、１０％以下の範囲に位置させ、
トレッド中央部側に隣接するゴム部材に比べ動的弾性率が低いゴム部材により形成されると共に、前記各トレッドショルダー部に配置されたそれぞれで厚みが異なっている
ことを特徴とする二輪自動車用空気入りタイヤ。
【請求項３】
一対のビード部の径方向外側に一対のサイドウォールを配置し、該サイドウォール相互間にトレッドを配置した二輪自動車用空気入りタイヤにおいて、
前記トレッドの前記各サイドウォールに隣接する各トレッドショルダー部に、表面をトレッド表面に露出させた異種ゴムを配置し、
前記異種ゴムは、
タイヤ幅方向における前記トレッド表面に沿う幅をトレッド展開幅の６％以上、２０％以下の範囲とし、
サイドウォール側端部を、前記トレッドのサイドウォールとの境界であるトレッド端部からトレッド中央部へ向かう、トレッド展開幅の５％以上、１０％以下の範囲に位置させ、
前記トレッド中央部側に隣接するゴム部材に比べ動的弾性率が低いゴム部材により形成されると共に、前記各トレッドショルダー部に配置されたそれぞれで、タイヤ幅方向における前記トレッド表面に沿う幅が異なっている
ことを特徴とする二輪自動車用空気入りタイヤ。
【請求項４】
一対のビード部の径方向外側に一対のサイドウォールを配置し、該サイドウォール相互間にトレッドを配置した二輪自動車用空気入りタイヤにおいて、
前記トレッドの前記一方のサイドウォールに隣接する一方のトレッドショルダー部に、表面をトレッド表面に露出させた異種ゴムを配置し、
前記異種ゴムは、
タイヤ幅方向における前記トレッド表面に沿う幅をトレッド展開幅の６％以上、２０％以下の範囲とし、
サイドウォール側端部を、前記トレッドのサイドウォールとの境界であるトレッド端部からトレッド中央部へ向かう、トレッド展開幅の５％以上、１０％以下の範囲に位置させ、
前記トレッド中央部側に隣接するゴム部材に比べ動的弾性率が低いゴム部材により形成される
ことを特徴とする二輪自動車用空気入りタイヤ。
【請求項５】
前記異種ゴムの厚みは、前記トレッドの厚みの２０％以上、６０％以下の範囲であることを特徴とする請求項１から４のいずれか一項に記載の二輪自動車用空気入りタイヤ。
【請求項６】
前記トレッドの幅方向中央部分は、トレッド厚み方向に積層した複数層構造を有することを特徴とする請求項１から５のいずれか一項に記載の二輪自動車用空気入りタイヤ。
【請求項７】
前記複数層構造を構成するトレッド表面側に位置する表層ゴムは、前記異種ゴムに接触していることを特徴とする請求項６に記載の二輪自動車用空気入りタイヤ。
【請求項８】
前記複数層構造を構成するトレッド内部側に位置する内層ゴムは、前記トレッドショルダー部の前記異種ゴムに重なる範囲に達していることを特徴とする請求項６または７に記載の二輪自動車用空気入りタイヤ。
【請求項９】
前記内層ゴムは、前記異種ゴムに接触していることを特徴とする請求項８に記載の二輪自動車用空気入りタイヤ。
【請求項１０】
前記トレッドの少なくとも一部は、幅が狭い長尺のゴムストリップをタイヤ周方向に螺旋状に重ねて巻き付けることにより成形されていることを特徴とする請求項１から９のいずれか一項に記載の二輪自動車用空気入りタイヤ。
【請求項１１】
前記トレッドのタイヤ径方向内側に、タイヤ赤道に対し０〜５度の角度を有して配置されたコードからなる補強ベルトを有することを特徴とする請求項１から１０のいずれか一項に記載の二輪自動車用空気入りタイヤ。
【請求項１２】
前記補強ベルトのタイヤ径方向外側に、タイヤ赤道に対し８０度以上、９０度以下の角度で配置された、前記補強ベルトよりベルト幅が広い保護ベルトを有することを特徴とする請求項１１に記載の二輪自動車用空気入りタイヤ。
【請求項１３】
前記補強ベルトと前記保護ベルトの間の少なくとも一部に緩衝ゴムが配置されていることを特徴とする請求項１２に記載の二輪自動車用空気入りタイヤ。
【請求項１４】
前記補強ベルトは、トレッド幅方向に沿う幅が、トレッド幅の６０％以上、９０％以下の範囲にあることを特徴とする請求項１１から１３のいずれか一項に記載の二輪自動車用空気入りタイヤ。
【発明の詳細な説明】
【技術分野】
【０００１】
この発明は、二輪自動車用空気入りタイヤに関し、特に、旋回走行時におけるグリップ力の向上を図ることができるトレッド構造を有する二輪自動車用空気入りタイヤに関する。
【背景技術】
【０００２】
従来、二輪自動車に用いられる空気入りタイヤが知られている。二輪自動車は、その構造的特徴から、旋回走行時には車体を傾けるため、車体の傾きによって、タイヤの路面に接地する部分が移動する。また、車体を傾けない直立時は、速度が高く、タイヤには制動力と駆動力の前後方向（タイヤの赤道方向）の力が加わるが、車体を傾けた旋回走行時は、タイヤには大きな横力が主体的に加わる。そのため、タイヤのショルダー部には、横力に対抗する横グリップ力が求められる。一方、タイヤのタイヤ幅方向センター部には、市販のタイヤでは直進走行の頻度が高いことから、耐摩耗性の高いゴムを用いることが多い。
【０００３】
また、レースや競技に用いられるタイヤにおいては、直進走行時の速度が非常に高いため、発熱し難いゴムをトレッドセンター部に配置したり、トレッドセンター部を２層構造として内部に発熱し難いゴムを、外部にグリップ力の大きいゴムを配置する等の工夫がなされている。特に、サーキットにおけるレース走行や、一般道路でも激しい走行を行ったときには、走行中にタイヤショルダー部が発熱することから、走行に伴って旋回性能が低下したり、タイヤショルダー部の摩耗が進んだり、ゴムが劣化したりする。
【０００４】
一方、ゴムの特性として、ゴムの弾性率の指標である動的弾性率（Ｅ’）が低いと、ゴムが柔らかいことを意味し、柔らかいゴムは路面の凹凸に食い込むためグリップ力が大きい。一方で、柔らかいゴムは摩耗が早い特性がある。ゴムの柔らかさは、硬度、即ち、ショアＡ硬度で示すこともできる。ショアＡ硬度の小さいゴムは柔らかく、グリップ力が大きい反面、耐摩耗性が劣る特性がある。また、同時に、ゴムの変形が助長されるため、ゴムの粘弾性の特性で生じる歪エネルギロスにより、発熱し易くなる特性がある。
二輪自動車が車体を傾けて旋回走行する特性を持つこと、また、車体の傾きによって、タイヤの路面に接地するトレッド位が移動する特性を持つことから、二輪自動車のタイヤトレッドには複数の異なるゴムを用いることがある。
【０００５】
例えば、タイヤのセンター部とショルダー部でゴム物性を変更しているものとして、「自動二輪車用空気入りタイヤ」（特許文献１参照）、「スパイラルベルト構造の二輪車用空気入りタイヤ」（特許文献２参照）が知られており、タイヤの厚み方向についてゴム物性を変更しているものとして、「空気入りタイヤ」（特許文献３参照）、「自動二輪車用タイヤ」（特許文献４参照）が知られている。これらは、タイヤのセンター部とショルダー部の機能を分離させたものである。
【特許文献１】特開２０００−１５８９１０号公報
【特許文献２】特開平７−１０８８０５号公報
【特許文献３】特開２００６−７６３５５号公報
【特許文献４】特開２００５−２７１７６０号公報
【発明の開示】
【発明が解決しようとする課題】
【０００６】
ところで、二輪自動車用の空気入りタイヤでは、二輪自動車は旋回走行時に車体を傾けることから、直進走行時と旋回走行時では、タイヤトレッドの路面と接する場所が異なる。つまり、直進走行時にはトレッド中央部分を使用し、旋回走行時にはトレッド端部を使用する特徴がある。レースや競技においては、特に、旋回走行時の横グリップ力が重要である。旋回走行時の横グリップ力が十分だと、コーナー（曲線部）を高速で通り抜けることができるだけでなく、コーナーに続くストレート（直線部）も、コーナー脱出の速度が速いため初速が速くスピードを乗せることができる。即ち、横グリップ力を増すことができれば、競技やレースにおいてラップタイムを短縮することができる。
【０００７】
旋回走行時には、タイヤの横（幅）方向に対してグリップすることが求められる。二輪自動車を速く旋回走行させるには、旋回速度に伴って大きくなる遠心力と釣り合わせるために車体を大きく倒す必要があり、更に、その遠心力に対抗できるようにタイヤが路面にグリップできなければならない。つまり、車体を大きく傾けたときのタイヤのグリップ力が不足すると、速く旋回走行することができないため、タイヤのグリップ力が旋回走行性能に及ぼす影響は非常に大きい。
【０００８】
また、二輪自動車のレースが行われるサーキットについては、右旋回走行と左旋回走行の頻度が異なるものがあり、例えば、右回り（時計回り）方向のサーキットでは、右回り方向のコーナーが多くなる。また、コーナーの形状によって、高速度で旋回できる、所謂高速コーナーが右回りばかりで、低速度で旋回できる低速コーナーが左回りばかりというコースもある。高速コーナーは、遠心力も大きく、タイヤに対する入力も厳しいため、タイヤの摩耗が進み易く、また、タイヤの回転速度も高いため、ゴムが発熱し易い。このように、サーキットによっては、右旋回走行と左旋回走行で、タイヤに求める性能が違う場合がある。
【０００９】
ここで、更に、旋回走行時におけるタイヤのグリップ力を向上させるため、詳細な研究を行い、特に、二輪自動車の車体が最も倒れるバンク角度（キャンバー角度）が４５〜５０度付近のグリップ力を集中的に向上させることを検討した。これは、例えば、レースにおいては旋回走行速度が非常に重要であり、旋回走行速度が高ければコーナーの次のストレートの速度も伸びて、結果的にラップタイムが向上するからである。また、一般道路においても、旋回走行時のグリップ力を増すことは安全性の向上に貢献することができる。
二輪自動車用のタイヤでは、車体を大きく倒した旋回走行の場合、タイヤのトレッドの片側のショルダー部が接地してグリップ力を発生させている。このときのタイヤ接地形状について考察する。
【００１０】
図７は、二輪自動車が旋回走行する場合のタイヤ幅方向断面におけるトレッド変形を示す説明図である。図７に示すように、二輪自動車が、車体を大きく倒して、即ち、タイヤ１のキャンバー角度（Ｃａｍｂｅｒ  Ａｎｇｌｅ：ＣＡ）４５〜５５度で、旋回走行する場合、タイヤ１のトレッド２の全幅（トレッド幅）の略１／４が路面Ｒに接触する。接地している略１／４の領域を３等分し、トレッド２の端部から領域Ａ、領域Ｂ、領域Ｃとする。ここで、タイヤ１のトレッド幅方向に沿う断面でのトレッド２の変形を考える。トレッド２の変形によってタイヤ１に横力が発生するからであり、横方向のトレッド２の変形はキャンバースラスト（横力）を発生させる。
【００１１】
図７には、ＣＡ５０度で旋回走行している場合のタイヤ１の接地断面と、接地断面に対応する接地部形状を示しており、タイヤ１によって、接地部は楕円の一部が欠けた楕円型形状ａであったり、半月型形状ｂであったりする。
接地部が楕円型形状ａにおける、領域Ｂのトレッド幅方向の変形について述べる。領域Ｂのトレッド２の表面２ａ、即ち、路面Ｒに接する点をＱとし、Ｑ点の内側のトレッド２の最深部の点をＰ点とする。図７に、Ｐ点とＱ点の接地転動時の軌跡を示すが、Ｐ点は、トレッド２がタイヤ１のベルト（骨格部材）３に接している点であり、タイヤ１がＣＡを付けて傾いて転動するため、弓なりの曲線を描く。これに対し、Ｑ点は、トレッド２の表面（トレッド表面）２ａが路面Ｒに接触したときに路面Ｒに固定され、路面Ｒの方向、即ち、タイヤ１の進行方向に直線的に動く。
【００１２】
この動きの差によって、トレッド２が横剪断を受けるが、丁度、弓と弦の関係であり、荷重直下で最大の横剪断を受ける。この横剪断量によってトレッド２が横の変形を受け（図７参照）、トレッド２が横に剪断されるため、横力（キャンバースラスト）が発生する。このような横力発生の仕組みから、接地長（接地形状の周方向であるタイヤ赤道方向の長さ）が長い方が、Ｐ点とＱ点の軌跡の差が広がり、トレッド２が大きく剪断される。接地長が短いと、トレッド２の剪断量（横方向であるタイヤ幅方向の剪断）は少ない。
【００１３】
接地部が楕円型形状ａの場合は、領域Ｂで最も大きな剪断を受け、次いで領域Ａが剪断が大きく、領域Ｃの剪断は少ない。接地部が半月型形状ｂの場合は、領域Ｂと領域Ａで大きな剪断を受け、領域Ｃの剪断は少ない。しかしながら、これは、ＣＡ値と大きくかかわっており、ＣＡ４５度の場合、よりタイヤ赤道側で接地するため、ＣＡ５０度時の領域Ｃであった接地領域は領域Ａ，Ｂ側へシフトし、ＣＡ５５度の場合、ＣＡ５０度時の領域Ａであった接地領域は領域Ｂ，Ｃの方にシフトする。
つまり、ＣＡ４５度〜５５度の大ＣＡ時の旋回走行では、領域Ｂを中心に領域Ａ、領域Ｃにおいて横力を大きく稼ぐ。
【００１４】
一方、二輪自動車の傾き角（バンク角、ＣＡ）を観察すると、二輪自動車は、ＣＡ４５度〜５５度以上になるまで倒れることはなく、領域Ａは、二輪自動車が最大角度で傾いたときのみ路面Ｒに接地する領域であり、領域Ｂについても、二輪自動車が大きく傾いた場合を中心に使われる領域である。つまり、領域Ａは、二輪自動車が大きく傾いた状態、即ち、最も横力が大きくなるときにのみ使用頻度が大きくなる領域である。
【００１５】
この領域Ａにおいては、グリップ力を増大させることが重要であるが、摩耗及び発熱に対しても厳しくなる領域であるため、使用頻度としては少ないが、最もＣＡが付いた状態、即ち、入力が最も大きい状態で使われる領域となり、他の領域の寄与が減るため、局所的に摩耗及び発熱が大きくなる領域である。更に、トレッド端部のため、変形に抗する隣接ゴム部が存在しないため、変形が大きくなり過ぎて、摩耗及び発熱を助長する傾向がある。
【００１６】
以上、各領域についてまとめると、以下のようになる。
領域Ａ：最大ＣＡ（４５度〜５５度）のときにのみ使用され、特に、横入力を受けて、最大ＣＡ時の横グリップ力の発生に大きく寄与する（特に、接地部が半月型形状ｂの場合）ものの、摩耗及び発熱の影響を受け易い領域。
領域Ｂ：最大ＣＡ（４５度〜５５度）のときに主体的に使われ、最大ＣＡ時の横グリップ力の発生に大きく寄与（特に、接地部が楕円型形状ａの場合）する。最大ＣＡのとき、また、ＣＡ４０度のときにも接地しており、領域Ａよりは使用頻度が高い。
【００１７】
領域Ｃ：最大ＣＡ（４５度〜５５度）のときにも使われ、更に、最大ＣＡに達する過程（ＣＡ：３０度〜４５度）でも使われて、領域Ａや領域Ｂと比べると明らかに使用頻度が高い。また、ＣＡが４５度のときには、接地形状の中心となって接地長が伸びるため、横方向の剪断も大きくなる。
また、二輪自動車用タイヤは、その横力発生の仕組みの特性から、更に、特徴的な点がある。図７に示す、Ｐ点とＱ点の軌跡の差がトレッド２の横変形量であるが、この横変形量（変位）は一定である。つまり、Ｐ点とＱ点の軌跡は、タイヤ１の幾何学的構造で決まるため、最大の横剪断量は一定となる。通常のタイヤにおいて、大ＣＡ時の領域Ｂ（図７参照）の横剪断量は７ｍｍ程度であるため、トレッド２のゴムが硬くても柔らかくても、横剪断量は一定の７ｍｍ程度である。
【００１８】
従って、トレッド２のゴムが柔らかいと、変位は一定のためトレッド２を変形させる力が少なくて済むので、発生する横力は小さくなり、逆に、トレッド２のゴムが硬いと、トレッド２を一定量だけ横変形させるのに大きな力を要するので、発生する横力は大きくなる。即ち、横力は、トレッド２の剛性（トレッドゴムの弾性率や硬度等）によるところが大きい。
しかしながら、実際の走行状態にあっては、トレッド２が硬いゴムで形成されている場合、路面Ｒの細かい凹凸に食い込み難いために摩擦係数が小さくなって滑り易くなることから、ゴムが硬過ぎるとトレッド２の表面が滑ってしまい、滑ることで変位量が減少し横力が出なくなる。
【００１９】
図８は、二輪自動車が旋回走行する場合のタイヤ周方向断面におけるトレッド変形を示す説明図である。図８に示すように、タイヤ１がＣＡ５０度で旋回走行する時、トレッド２のタイヤ周方向における接地形状の変形は、領域Ａと領域Ｃで異なっている。これは、タイヤセンター寄りの領域Ｃとトレッド端部寄りの領域Ａで、配置されたベルト３の速度が異なるからである。二輪自動車のタイヤ１は、タイヤ幅方向断面において大きな丸みを持っている。そのため、タイヤ回転軸からベルト３までの距離であるベルト半径が、領域Ａと領域Ｃでは領域Ｃの方が大きい。配置されたベルト３の速度、つまり、トレッド２が路面Ｒに接触してから、タイヤ１の回転が進みトレッド２が路面Ｒから離れるまでのベルト速度が、領域Ｃの方が速い。これは、ベルト半径にタイヤ回転角速度をかけたものがベルト速度になるからであり、タイヤ１の回転速度は領域Ａも領域Ｃも同じだからである。
【００２０】
このベルト周方向の速度差により、タイヤセンター寄りの領域Ｃではトレッド２がドライビング状態であり、タイヤトレッド端部寄りの領域Ａではブレーキング状態である。ドライビングとは、タイヤ１をタイヤ赤道面Ｅに沿って輪切りにした場合に、トレッド内面（タイヤ内部の骨格部材に接している面）がタイヤ進行方向後方に剪断され、路面Ｒに接触しているトレッド表面２ａがタイヤ進行方向前方に変形している剪断状態であり、丁度、タイヤに駆動力をかけたときに起こる変形である。
一方、ブレーキング状態とは、ドライビング状態の逆であり、トレッド２の変形はタイヤ内部側（ベルト３）が前方に剪断され、路面Ｒに接地しているトレッド表面２ａが後方に変形している剪断状態であり、制動（ブレーキング）時のタイヤ１の動きとなる。
【００２１】
このタイヤ周方向のトレッド２の変形は、タイヤ１が駆動力も制動力も受けずに、遊輪状態で転がるだけで発生する。そして、このタイヤ周方向の剪断変形により、領域Ａと領域Ｃでトレッド２が路面Ｒに対し滑り易くなって摩耗が進む。このような旋回走行中の余計な変形は、タイヤ１のトレッド２のショルダー部に偏摩耗を起こし易いので、無い方が良い。
この発明の目的は、二輪自動車の旋回走行時における横グリップ力を向上させて、磨耗時にも横グリップ力を維持することができるグリップ力と共に、優れた耐摩耗性を備えることができる二輪自動車用空気入りタイヤを提供することである。
【課題を解決するための手段】
【００２２】
上記目的を達成するため、この発明に係る二輪自動車用空気入りタイヤは、一対のビード部の径方向外側に一対のサイドウォールを配置し、該サイドウォール相互間にトレッドを配置した二輪自動車用空気入りタイヤにおいて、前記トレッドの前記各サイドウォールに隣接する各トレッドショルダー部に、表面をトレッド表面に露出させた異種ゴムを配置し、前記異種ゴムは、タイヤ幅方向における前記トレッド表面に沿う幅をトレッド展開幅の６％以上、２０％以下の範囲とし、サイドウォール側端部を、前記トレッドのサイドウォールとの境界であるトレッド端部からトレッド中央部へ向かう、トレッド展開幅の５％以上、１０％以下の範囲に位置させ、前記トレッド中央部側に隣接するゴム部材に比べ動的弾性率が低いゴム部材により形成されると共に、前記各トレッドショルダー部に配置されたそれぞれで動的弾性率が異なっていることを特徴としている。
【００２３】
また、この発明に係る二輪自動車用空気入りタイヤは、一対のビード部の径方向外側に一対のサイドウォールを配置し、該サイドウォール相互間にトレッドを配置した二輪自動車用空気入りタイヤにおいて、前記トレッドの前記各サイドウォールに隣接する各トレッドショルダー部に、表面をトレッド表面に露出させた異種ゴムを配置し、前記異種ゴムは、タイヤ幅方向における前記トレッド表面に沿う幅をトレッド展開幅の６％以上、２０％以下の範囲とし、サイドウォール側端部を、前記トレッドのサイドウォールとの境界であるトレッド端部からトレッド中央部へ向かう、トレッド展開幅の５％以上、１０％以下の範囲に位置させ、トレッド中央部側に隣接するゴム部材に比べ動的弾性率が低いゴム部材により形成されると共に、前記各トレッドショルダー部に配置されたそれぞれで厚みが異なっていることを特徴としている。
【００２４】
また、この発明に係る二輪自動車用空気入りタイヤは、一対のビード部の径方向外側に一対のサイドウォールを配置し、該サイドウォール相互間にトレッドを配置した二輪自動車用空気入りタイヤにおいて、前記トレッドの前記各サイドウォールに隣接する各トレッドショルダー部に、表面をトレッド表面に露出させた異種ゴムを配置し、前記異種ゴムは、タイヤ幅方向における前記トレッド表面に沿う幅をトレッド展開幅の６％以上、２０％以下の範囲とし、サイドウォール側端部を、前記トレッドのサイドウォールとの境界であるトレッド端部からトレッド中央部へ向かう、トレッド展開幅の５％以上、１０％以下の範囲に位置させ、前記トレッド中央部側に隣接するゴム部材に比べ動的弾性率が低いゴム部材により形成されると共に、前記各トレッドショルダー部に配置されたそれぞれで、タイヤ幅方向における前記トレッド表面に沿う幅が異なっていることを特徴としている。
【００２５】
また、この発明に係る二輪自動車用空気入りタイヤは、一対のビード部の径方向外側に一対のサイドウォールを配置し、該サイドウォール相互間にトレッドを配置した二輪自動車用空気入りタイヤにおいて、前記トレッドの前記一方のサイドウォールに隣接する一方のトレッドショルダー部に、表面をトレッド表面に露出させた異種ゴムを配置し、前記異種ゴムは、タイヤ幅方向における前記トレッド表面に沿う幅をトレッド展開幅の６％以上、２０％以下の範囲とし、サイドウォール側端部を、前記トレッドのサイドウォールとの境界であるトレッド端部からトレッド中央部へ向かう、トレッド展開幅の５％以上、１０％以下の範囲に位置させ、前記トレッド中央部側に隣接するゴム部材に比べ動的弾性率が低いゴム部材により形成されることを特徴としている。
【００２６】
また、この発明において、前記異種ゴムの厚みは、前記トレッドの厚みの２０％以上、６０％以下の範囲であることが好ましい。
また、この発明において、前記トレッドの幅方向中央部分は、トレッド厚み方向に積層した複数層構造を有することが好ましい。
また、この発明において、前記複数層構造を構成するトレッド表面側に位置する表層ゴムは、前記異種ゴムに接触していることが好ましい。
また、この発明において、前記複数層構造を構成するトレッド内部側に位置する内層ゴムは、前記トレッドショルダー部の前記異種ゴムに重なる範囲に達していることが好ましい。
【００２７】
また、この発明において、前記内層ゴムは、前記異種ゴムに接触していることが好ましい。
また、この発明において、前記トレッドの少なくとも一部は、幅が狭い長尺のゴムストリップをタイヤ周方向に螺旋状に重ねて巻き付けることにより成形されていることが好ましい。
また、この発明において、前記トレッドのタイヤ径方向内側に、タイヤ赤道に対し０〜５度の角度を有して配置されたコードからなる補強ベルトを有することが好ましい。
【００２８】
また、この発明において、前記補強ベルトのタイヤ径方向外側に、タイヤ赤道に対し８０度以上、９０度以下の角度で配置された、前記補強ベルトよりベルト幅が広い保護ベルトを有することが好ましい。
また、この発明において、前記補強ベルトと前記保護ベルトの間の少なくとも一部に緩衝ゴムが配置されていることが好ましい。
また、この発明において、前記補強ベルトは、トレッド幅方向に沿う幅が、トレッド幅の６０％以上、９０％以下の範囲にあることが好ましい。
【発明の効果】
【００２９】
この発明によれば、トレッドの前記各サイドウォールに隣接する各トレッドショルダー部に、表面をトレッド表面に露出させた異種ゴムが配置され、この異種ゴムは、タイヤ幅方向におけるトレッド表面に沿う幅をトレッド展開幅の６％以上、２０％以下の範囲とし、サイドウォール側端部を、トレッドのサイドウォールとの境界であるトレッド端部からトレッド中央部へ向かう、トレッド展開幅の５％以上、１０％以下の範囲に位置させ、トレッド中央部側に隣接するゴム部材に比べ動的弾性率が低いゴム部材により形成されると共に、各トレッドショルダー部に配置されたそれぞれで動的弾性率が異なっている。
【００３０】
このため、二輪自動車の旋回走行時における横グリップ力を向上させて、磨耗時にも横グリップ力を維持することができるグリップ力と共に、優れた耐摩耗性を備えることができる。
【発明を実施するための最良の形態】
【００３１】
以下、この発明を実施するための最良の形態について図面を参照して説明する。
（第１実施の形態）
図１は、この発明の第１実施の形態に係る二輪自動車用空気入りタイヤのタイヤ幅方向に沿う断面説明図である。図１に示すように、二輪自動車用空気入りタイヤ１０は、タイヤ周方向に沿うトレッド１１と、トレッド１１に連続してタイヤ両側面を構成する一対のサイドウォール１２を有している。各サイドウォール１２のタイヤ径方向内周側には、ビード部１３が設けられており、左右一対のビード部１３のそれぞれには、ビードワイヤ１４からなるビードコアが配置されている。
【００３２】
つまり、一対のビード部１３の径方向外側に一対のサイドウォール１２が配置されており、これらサイドウォール１２相互間にトレッド１１が配置されている。
左右一対のビードコアの間には、複数（一例として、２枚を図示）のプライ（ボディプライ）からなるカーカス１５が掛け渡されている。このカーカス１５のタイヤ径方向外側には補強ベルト（スパイラルベルト）１６が、補強ベルト１６のタイヤ径方向外側には保護ベルト１７が、保護ベルト１７のタイヤ径方向外側には、トレッド１１を形成するトレッドゴム１８が、それぞれ配置されている。
【００３３】
即ち、二輪自動車用空気入りタイヤ１０は、カーカス１５の上に、補強ベルト１６、保護ベルト１７、及びトレッドゴム１８を積み重ねた積層構造を有すると共に、カーカス１５のコードが、タイヤ赤道に対する角度が９０度になる、タイヤ中心から見て放射状（Ｒａｄｉａｌ）に配置されたラジアル構造を有している。この二輪自動車用空気入りタイヤ１０は、レース用タイヤであり、タイヤ外表面となるトレッド１１の表面には、溝が刻まれていない（図１参照）。
【００３４】
カーカス１５は、例えば、ナイロン製のコードを撚って直径約０．６ｍｍとし、これを、打ち込み数６５本／５０ｍｍで打ち込んで略平行に並べ、未加硫ゴムによりシート状にしたものをカーカス部材として、形成されている。このカーカス１５は、ビード部１３において、プライを２枚まとめて両側からビードワイヤ１４で挟み込むことにより（図１参照）、固定されている。なお、カーカス１５は、両側からビードワイヤ１４で挟んで固定する他、ビードコアの周りを巻き回すことにより固定してもよい。
【００３５】
補強ベルト１６は、ベルト補強層として、タイヤ赤道に対し０〜５度の角度を有して配置されており、１本又は複数本のコードをゴム部材により被覆したベルト部材を、タイヤ製造過程において、トレッド部分に螺旋（スパイラル）巻きするようにタイヤ赤道に略平行に巻き付けることにより、形成されている。この補強ベルト１６のベルト部材は、例えば、芳香族ポリアミド繊維（ケブラー：ＤｕＰｏｎｔ社の商品名）を撚って直径約０．７ｍｍにしたコードを、打ち込み数５０本／５０ｍｍで打ち込んで形成される。
つまり、補強ベルト１６は、タイヤ赤道方向に対し０〜５度の角度で配置されたコードを内部に含むベルトからなり、１本又は複数本のコードを未加硫ゴムで被覆した連続体を、タイヤ周方向に沿って連続的に螺旋巻きすることで形成されている。
【００３６】
このようなベルトは、コードがタイヤ周方向に沿っているため、遠心力によるタイヤ膨張が生じ難く、特に、高速走行時の操縦安定性能に優れている。そのため、近年の高性能タイヤに広く使われるようになってきたが、高速走行時の操縦安定性を得るのには有効であるのに対し、車体を大きく倒したＣＡ４５〜５５度での旋回走行では、速度も遅いため、本来の遠心膨張し難い効果は薄れ、横グリップに関しては従来の補強ベルトのないタイヤとあまり変わらない。そこで、このような高性能タイヤに、本発明を適用すると、大ＣＡ時の横グリップが増して、高性能タイヤとしての性能バランスが良くなり、好ましい。
【００３７】
なお、補強ベルト１６は、スチール部材で形成しても良く、例えば、直径０．２１ｍｍのスチール単線を３本撚り（１×３×０．２１）にしたスチール製コードを、打ち込み数３０本／５０ｍｍで打ち込んで、スパイラル状に巻き付け形成しても良い。
保護ベルト１７は、例えば、芳香族ポリアミド繊維を撚って直径０．６ｍｍにしたコードを、打ち込み数５０本／５０ｍｍで打ち込んで形成し、タイヤ赤道に対し約９０度の角度で配置されている。
【００３８】
この保護ベルト１７は、補強ベルト１６を保護するものであり、タイヤ赤道に対し８０度以上、９０度以下の角度で配置され、補強ベルト１６のベルト幅より幅が広く形成されている。補強ベルト１６は、タイヤ周方向に伸び難いことから、補強ベルト１６を配置することにより、タイヤの遠心膨張を防いでいる。補強ベルトを備えることにより、ベルト剛性が比較的高く保てるため、補強ベルトだけからベルト部が構成されているタイヤもある。また、補強ベルトを用いるとベルト剛性が高まるため、補強ベルトに合わせる傾斜ベルトは、タイヤ赤道に対する角度が４５度〜８０度の場合が殆どであり、タイヤの内圧を補強ベルトが殆ど受け止めている。
【００３９】
そのため、万一、補強ベルトが損傷すると、タイヤバーストに繋がり兼ねない。例えば、トレッドが摩耗して薄くなったときに高速走行で突起物を踏みつけた場合や、摩耗したタイヤを使い続けて補強ベルトが露出してしまった場合に、補強ベルトが破断してしまう可能性が全くないとは言えない。そこで、補強ベルトを保護するようにタイヤ幅方向に沿ったコードを持つ保護ベルト１７を配置する。
ここで、保護ベルト１７と補強ベルト１６との間の少なくとも一部に、緩衝層となるゴム層を配置しても良い。これにより、トレッドショルダー部１１ｂのトレッドの摩耗を抑制することができる。
【００４０】
なお、ここでは、保護ベルトを備えた構造について説明したが、保護ベルトを備えない構造でも良く、この場合は、保護ベルトを配置せずに、補強ベルト１６のみを備えた構造としても良く、また、保護ベルトに代えて、タイヤ赤道に対し約９０度の角度でベルトを１枚配置しても良い。
トレッドゴム１８は、約７ｍｍのタイヤ径方向に沿う厚さ（トレッドゴム厚：Ｄ）を有している。このトレッドゴム１８の少なくとも一部は、幅が狭い長尺のゴムストリップをタイヤ周方向に螺旋状に重ねて巻き付けることにより成形されている。
【００４１】
タイヤを製造する場合、従来、未加硫ゴムからなる幅が狭い断面形状のゴム連続体をタイヤ周方向に巻き付けて成型している（例えば、特開２００６−２４００９８号公報参照）が、タイヤのショルダー部は、タイヤ幅方向に沿う断面が曲率の大きな円弧からなる部分であるため、従来のように作業者による手作業で幅の広いトレッド材を配置すると、成型精度（形状精度）を確保することが困難である。そこで、幅の狭い未加硫ゴム連続体を、専用の成型機械を用いて自動的に巻き付けて成形すれば、形状精度を高くすることができる。
【００４２】
このトレッドゴム１８は、トレッド１１の幅方向中央（トレッドセンター）部分の内部が、トレッド厚み方向に積層した複数層構造、例えば、トレッド内部側に位置する内層ゴム１９と、トレッド表面側に位置する表層ゴム２０からなる２種類のゴム層を有している。内層ゴム１９は、１００℃のショアＡ硬度が５０、且つ、損失係数である損失正接（ｔａｎδ）が極めて低いゴム部材からなり、トレッド幅方向に沿う幅が約１４０ｍｍ、トレッド厚み方向に沿う厚みが３ｍｍに形成されている。内層ゴム１９を覆う表層ゴム２０は、１００℃のショアＡ硬度が３５のゴム部材からなる。
【００４３】
この二輪自動車用空気入りタイヤ１０は、例えば、トレッド展開幅が約２４０ｍｍ、補強ベルト１６の幅が約２４０ｍｍ、保護べルト１７の幅が約２４５ｍｍに形成されている。トレッド展開幅とは、トレッド幅方向に沿う断面において、トレッド１１の一方側端部から他方側端部までのトレッド表面の曲面に沿った幅をいい、トレッド１１を展開することにより、タイヤ幅方向に丸みを持つ曲面からなるトレッド１１を、その弧の長さを直線にする平面に対応させて表示している。
そして、トレッド１１の、各サイドウォール１２との境界である各トレッド端部１１ａ側、即ち、各サイドウォール１２に隣接する各トレッドショルダー部１１ｂには、トレッドセンター部側に隣接するゴム部材とは種類が異なるゴム部材からなる矩形断面形状の異種ゴム２１が、その表面をトレッド１１の表面に露出させて配置されている。
【００４４】
このように、トレッドショルダー部１１ｂに異種ゴム２１を配置することにより、トレッド表面部とトレッド内部でゴム部材の種類を異ならせ、トレッド表面部に、トレッドの内部を形成するトレッドゴム１８より柔らかい異種ゴム２１を配置している。トレッド表面部に柔らかいゴム部材である異種ゴム２１を配置するのは、柔らかいゴム部材が、路面Ｒの舗装部材であるアスファルト等の骨材の細かい凹凸に食い込み、摩擦係数が高くなってタイヤのグリップが良くなるからである。
その一方、先に述べたように、二輪自動車用タイヤのトレッドショルダー部１１ｂの横変位量は、幾何学的構造によって決まっており、トレッドショルダー部１１ｂ全てを柔らかくしてしまうとトレッドの剪断剛性が低下し、大きな横力を発生させることができなくなる。そのため、トレッド表面部のみを柔らかくしている。
【００４５】
トレッドゴム１８の硬さは、動的弾性率（Ｅ’）又はショアＡ硬度で規定される。動的弾性率は、ゴム製のサンプルに、例えば、周波数１５Ｈｚ、歪５％のサイン波（ｓｉｎｅｗａｖｅ：正弦波）振動を加え、そのときの反力を計測することにより測定することができる。本発明においては、粘弾性測定装置（レオメトリックス社製）を用いて、温度１００℃、周波数１５Ｈｚ、歪５％で計測した。特に、二輪自動車の競技用タイヤの場合、トレッドショルダー部１１ｂのトレッド温度は１００℃を超える場合もあるので、目的に応じて１００℃よりも高い温度で測定するが、ここでは、温度１００℃での計測値を動的弾性率とする。なお、競技用タイヤの場合、温度１００℃以上で測定した動的弾性率を用いることが望ましい。
【００４６】
また、動的弾性率の代わりに、ショアＡ硬度を用いても良い。ショアＡ硬度は、市販の硬度計を用いて計測可能であり、例えば、トレッドゴムを切り出し、１００℃の熱湯に３０分漬けてゴムの温度を１００℃にした後、硬度計で硬度を計測する。通常、硬度が大きいものは、動的弾性率も高くなる。
異種ゴム２１は、タイヤ幅方向におけるトレッド表面に沿う幅（Ｗ１，Ｗ２）を、トレッド展開幅を基準（１００）としてトレッド展開幅の６％以上、２０％以下の範囲とし、サイドウォール１２側の端部を、トレッド１１のサイドウォール１２との境界であるトレッド端部１１ａからトレッドセンター部へ向かう、トレッド展開幅の５％以上（Ｌ１，Ｌ２）、１０％以下の範囲に位置させている。
【００４７】
これは、大ＣＡ時のトレッドの使われ方に基づくものである。上述したように、二輪自動車のタイヤがＣＡ４５度〜５５度の大ＣＡ時に接地する領域は、トレッド展開幅の１／４、即ち、２５％の領域である（図７参照）。横力に寄与するのは、使用頻度を加えて考察すると、領域Ｂが最も大きく、続いて、領域Ｃ、領域Ａとなる。一方、領域Ａは、局所的に摩耗及び発熱への対策を、特に考慮する必要がある領域である。
つまり、異種ゴム２１のトレッド幅方向に沿う幅が、トレッド端部１１ａを基点としてトレッド展開幅の５％未満では、領域Ａに含まれているが、磨耗及び発熱のため柔らかいゴムを使用することはできない。特に、周囲のゴム部材に比べ相対的に柔らかくなると歪が集中してしまい、更に、磨耗及び発熱を助長することになる。
【００４８】
一方、トレッド展開幅の２５％を超えると、領域Ｃより、更に、タイヤセンター部側になるため、横力の寄与は殆ど無い領域となる。更に、トレッド展開幅の５％以下では、少なくとも領域Ｂを網羅することができないので、あまり効果が得られず、トレッド展開幅の２１％以上では、トレッド展開幅の１／４（２５％）の横力に寄与する領域を逸脱するので、得られる効果代が鈍ってしまう。
そのため、トレッド幅方向に沿う幅をトレッド展開幅の６％以上２０％以下と規定した。これにより、異種ゴム２１は領域Ｂ及び領域Ｃ（図７参照）を網羅することができる。
【００４９】
また、異種ゴム２１のタイヤ径方向厚みであるトレッド深さ方向厚み（Ｈ）は、トレッド１１の深さ方向に沿う、トレッド全体の厚み（深さ）の２０％以上、６０％以下の範囲とする。
また、異種ゴム２１は、タイヤセンター部側に隣接するゴム部材に比べ、動的弾性率が低い或いはショアＡ硬度が小さいゴム部材により形成されると共に、各トレッドショルダー部１１ｂに配置されたそれぞれ（即ち、異種ゴム２１ａ，２１ｂ）で動的弾性率或いはショアＡ硬度が異なっている。
なお、一例として、異種ゴム２１は、動的弾性率の場合は１．１６ＭＰａ〜７．２０ＭＰａに、ショアＡ硬度の場合は３０度〜７０度に設定されている。
【００５０】
つまり、トレッド１１のタイヤ赤道を境に一方のトレッドショルダー１１ｂ側に配置された異種ゴム２１ａと、他方のトレッドショルダー１１ｂ側に配置された異種ゴム２１ｂのそれぞれの動的弾性率或いはショアＡ硬度は、二輪自動車の右旋回走行時と左旋回走行時におけるタイヤへの横力入力状況及び使用頻度の違いに対応し、一方のショルダー１１ｂ側と他方のショルダー１１ｂ側で異なっている。
また、トレッドショルダー１１ｂの表面側に異種ゴム２１が配置されたトレッドゴム１８の内部、即ち、異種ゴム２１より内側に位置する部分には、異種ゴム２１よりも硬い材質のゴム部材、或いは損失正接（ｔａｎδ）の低いゴム部材を使用するのが望ましい。
【００５１】
このように、タイヤ赤道の両側（図１において、タイヤ赤道面Ｅの左右側）に位置する各トレッドショルダー部１１ｂに配置された、両異種ゴム２１ａ，２１ｂのゴムの硬さを異ならせて、走行使用頻度の低い側には非常に柔らかいゴムを、走行使用頻度の高い側にはやや柔らかいゴムを用いる。これにより、走行状態によって、トレッド１１のタイヤ赤道の両側で使用頻度が異なる場合でも、トレッド１１全体でバランス良く対応することができ、また、トレッド１１の磨耗についても、タイヤ赤道の両側で同様に進展するように調節することができる。
【００５２】
異種ゴム２１ａと異種ゴム２１ｂの何れも、非常に柔らかいゴムにより形成した場合、走行使用頻度の低い側は良いが、走行使用頻度の高い側は摩耗が早期に進み、例えば、レース途中で適切なグリップが得られなくなってしまう。また、異種ゴム２１ａと異種ゴム２１ｂの何れも、やや柔らかいゴムにより形成した場合、走行使用頻度の高い側は良いが、走行使用頻度の低い側については、更にグリップ力を高めることができるのにそれを生かすことができない。
また、トレッド１１の幅方向中央（トレッドセンター）部を、内層ゴム１９と表層ゴム２０を積層配置した２層構造とすることにより、トレッド１１における発熱を抑制することができる。
【００５３】
ここで、トレッドセンター部とは、トレッド幅方向中央部、トレッド幅全域の略２５％の範囲であり、二輪自動車が直立状態のときに、タイヤのトレッド１１と路面Ｒとの接触幅がトレッド幅全域の略２５％であることによる。なお、２層構造とするのは、トレッド幅全域の略２５％の範囲の全てでなくても良く、少なくともその大部分、具体的にはトレッド幅全域の１５％以上の範囲であれば、効果が得られる。
【００５４】
２層構造として、トレッド内部に硬いゴム（内層ゴム１９）を配置し、トレッド表面部に柔らかいゴム（表層ゴム２０）を配置すれば、トレッド表面部のゴムがグリップを稼ぎ、内部のゴムが発熱を抑制する。また、内層ゴム１９に、損失正接（ｔａｎδ）の低いゴムを使用すれば、更に、ゴムの発熱を抑制することができる。競技用タイヤにおいては、直進走行時に速度が３００ｋｍ／ｈを超えるときもあり、このような場合、高速走行によってトレッドが高い周波数で変形を繰り返し受け、発熱する。
【００５５】
その発熱により、トレッドゴム内部の添加オイル成分が気化して泡が発生するブロー現象が起こり、この泡を起点としてトレッドゴムの一部が欠けて飛び散ってしまう場合がある。そのため、このような使用条件の厳しい競技用タイヤにおいては、トレッド内部に発熱のし難い損失正接（ｔａｎδ）の非常に低いゴムを使用し、一方、トレッド表面部にグリップ力の高いゴムを使用するとよい。
このように、内層ゴム１９と表層ゴム２０の２層構造にすることで、ＣＡ４５〜５５度の大ＣＡ時のみならず、直進時の駆動特性及び制動特性も向上させることができる。
【００５６】
トレッド１１の幅方向中心部であるトレッドセンター部において用いられている内層ゴム１９と表層ゴム２０は、異種ゴム２１（２１ａ，２１ｂ）との間にトレッドゴム１８を介在させる離間空間を設けて配置されている（図１参照）が、この配置例に限るものではない。
図２から図４は、内層ゴム及び表層ゴムの配置状態の他の例（その１〜その３）を示す、図１と同様な断面説明図である。
【００５７】
図２に示すように、表層ゴム２０を、トレッド幅方向に両トレッド端部１１ａ側へ延ばして、異種ゴム２１のタイヤセンター側端部に接触させている。これにより、トレッド１１の外表面（トレッド面）は、両トレッド端部１１ａ側を除く略全域が、異種ゴム２１と表層ゴム２０により形成される。つまり、表層ゴム２０と異種ゴム２１が繋がっていることにより、トレッド１１を形成するゴムの種類を少なくすることができるので、効率的である。
また、図３に示すように、内層ゴム１９を、トレッド幅方向に沿って両トレッド端部１１ａ側へ延ばし、トレッドショルダー部１１ｂの異種ゴム２１の下方で異種ゴム２１に重なる範囲に達するまで、幅広く配置する。
【００５８】
トレッドセンター部の内層ゴム１９を、異種ゴム２１に重なる範囲まで幅広く配置したことにより、発熱の抑制が可能となる。トレッド１１の内部に硬いゴム（内層ゴム１９）を配置し、トレッドショルダー部１１ｂの表面側に柔らかいゴム（異種ゴム２１）を配置するため、トレッド表層部のゴムがグリップを稼ぎ、内部のゴムが発熱を抑制する。また、内部のゴムに、損失正接（ｔａｎδ）の低いゴムを使用すれば、更に、ゴムの発熱を抑制することができると同時に、内部に硬いゴムを用いるため、横力（キャンバースラスト）の増加も見込める。
なお、内部の硬いゴムは、タイヤ赤道を境に一方の側にのみ広く存在させても良く、走行使用頻度の高い側にのみ広く配置すれば、走行使用頻度の高い側の耐熱性を向上させてブロー故障を防止することができる。
【００５９】
また、図４に示すように、内層ゴム１９を、トレッド幅方向に沿って両トレッド端部１１ａ側へ延ばして、トレッドショルダー部１１ｂの異種ゴム２１の下面略全域に接触した状態に配置している。内層ゴム１９と異種ゴム２１を接触させることにより、横力を効果的に向上させると共に、使用するゴムの種類を少なくすることができるので、効率的である。
保護ベルト１７は、タイヤ赤道に対する角度が８０度以上、９０度以下で、且つ、トレッド幅方向のベルト幅が補強ベルト１６より広い幅広ベルトに形成して、配置しても良い。
【００６０】
つまり、保護ベルト１７を、トレッドショルダー部１１ｂの表層部の柔らかいゴム（異種ゴム２１）と重なるように配置すれば、トレッド幅（横）方向に補強する繊維がベルト層（補強ベルト１６及び保護ベルト１７）の最外層に存在し、トレッド１１の土台がトレッド幅（横）方向に強くなり、トレッド１１の横剪断に対してベルト層が剛性を持つため、高い横力（キャンバースラスト）を維持することができる。
【００６１】
また、保護ベルト１７と補強ベルト１６との間の少なくとも一部に、緩衝層となるゴム（緩衝ゴム）を設けると、緩衝ゴムが、タイヤ周方向に剪断変形するため、ドライビング変形及びブレーキング変形（図８参照）を肩代わりすることになり、トレッド１１のタイヤ周方向の変形が緩和される。一方、緩衝ゴムは、その上面にタイヤ幅方向に沿う保護ベルト１７を持つことから、タイヤ幅方向には剪断変形され難い。そのため、タイヤ幅方向に対してはトレッド１１の変形を肩代わりせず、トレッド１１の横剪断変形は緩衝ゴムを配置しても大きいままである。
【００６２】
即ち、緩衝ゴムは、タイヤ周方向のみの変形を肩代わりし、トレッド１１のタイヤ周方向変形を小さくして偏摩耗を防止する一方で、タイヤ幅方向の変形は肩代わりせずにトレッド１１の横変形は大きいまま維持し、横力（キャンバースラスト）を高く保つ効果がある。本発明のように、トレッドショルダー部１１ｂの表面に柔らかいゴム（異種ゴム２１）を配置した場合は、柔らかいゴムが摩耗し易いため、このような緩衝ゴムを設けることが非常に効果的である。保護ベルト１７及び緩衝ゴムは、トレッド端部で異種ゴム２１が配置されている場所に重なるように、幅広く配置することが好ましい。
【００６３】
図５は、補強ベルトの他の配置例を示す、図１と同様な断面説明図である。図５に示すように、補強ベルト１６のタイヤ幅方向に沿うベルト幅が、トレッド１１のタイヤ幅方向に沿うトレッド幅の６０％以上、９０％以下の範囲にあるようにする。これは、領域Ａ（図７参照）に補強ベルト１６が存在しないことを意味する。領域Ａに補強ベルト１６が存在しないと、領域Ａの保護ベルト１７がタイヤ周方向に伸びることができる。
領域Ａのトレッドは、路面Ｒに接触した（踏み込み）後、路面Ｒから離れる（蹴り出し）までブレーキング変形を受けるため、保護ベルト１７をタイヤ周方向へ伸ばそうと引っ張っている（図８参照）。トレッド１１が接地している領域において、保護ベルト１７がタイヤ周方向に伸びることができれば、トレッド１１のブレーキング変形を緩和することができる。
【００６４】
即ち、保護ベルト１７が接地している領域においてタイヤ周方向に伸びるということは、ベルト速度が増すことであり、領域Ｃと領域Ａの保護ベルト１７の速度差が縮まってトレッド１１のタイヤ周方向の余計な変形（ブレーキング変形）が抑制されることにつながる。領域Ａのトレッド１１については、そこに、タイヤ周方向に伸びない補強ベルト１６が無いことによって保護ベルト１７がタイヤ周方向に伸び、ブレーキング変形が緩和される。これにより、滑りが低減されて、柔らかいゴム（異種ゴム２１）をトレッド表面部に搭載しても耐摩耗性能が向上することになる。
【００６５】
このように、上述した、補強ベルト１６の幅をトレッド幅全体に巻く従来の構造ではなく、補強ベルト１６の幅を狭くして領域Ａに補強ベルト１６が存在しない構造とすれば、耐摩耗性能が向上し、トレッドショルダー部１１ｂの表面に柔らかいゴム（異種ゴム２１）を搭載することが可能になる。
補強ベルト１６の幅を、トレッド幅の６０％以上、９０％以下とするのは、図７に示す接地形状のタイヤ幅方向中心部がトレッド端部１１ａから１２．５％の位置であり、この中心で補強ベルト１６の幅を規定すると７５％となるので、この７５％を中心値として規定した幅である。
【００６６】
補強ベルト１６の幅がトレッド幅の９０％である場合、トレッド端部１１ａから５％の範囲が補強ベルト１６が巻かれていない部分となり、９０％を超えると、領域Ａのベルトがタイヤ周方向に伸び難くなり、領域Ａのブレーキング変形を緩和する効果が薄れる。トレッド幅の６０％未満は、トレッド端部から１５％の位置よりも補強ベルト１６の幅が狭いことを意味し、１５％よりも広い幅は、図７に示す領域Ｃにも補強ベルト１６が一部存在しなくなり、領域Ｃも接地によってベルトがタイヤ周方向に伸びようとするため、領域Ａと領域Ｃのベルトのタイヤ周方向の速度差が縮まらなくなってしまう。
【００６７】
また、接地領域の殆どに補強ベルト１６が存在しないため、補強ベルト１６のタガ効果が薄れ、高速時の操縦安定性能が低下する。故に、スパイラル幅は、６０％以上９０％未満が好ましい。
（第２実施の形態）
【００６８】
この発明の第２実施の形態に係る二輪自動車用空気入りタイヤは、異種ゴム２１（２１ａ，２１ｂ）のタイヤ径方向、即ち、トレッド深さ方向に沿う厚み（Ｈ）が、タイヤ赤道の両側（図１において、タイヤ赤道面Ｅの左右側）で異なっている。即ち、トレッド１１の表面に設けた異種ゴム２１の厚みを、各トレッドショルダー部１１ｂに配置された異種ゴム２１ａと異種ゴム２１ｂで異ならせている。その他の構成及び作用は、第１実施の形態に係る二輪自動車用空気入りタイヤと同様である。
【００６９】
トレッドショルダー部１１ｂは、トレッド表面にのみ柔らかいゴム（異種ゴム２１）を配置しトレッド内部は硬いゴムとする、２層構造を有している。この異種ゴム２１の厚み（Ｈ）を変えることで、トレッドショルダー部１１ｂの剪断剛性を変更することができる。トレッド表面に配置した異種ゴム２１が薄ければ、トレッドショルダー部１１ｂの剪断剛性が高められ、横入力に対する耐久性が増す。即ち、耐摩耗性に優れる。トレッドの表面に配置した異種ゴム２１が厚いと、摩耗は早くなるがグリップ力が強くなる。また、ゴムは、柔らかい方が、歪が大きく発熱し易い。
【００７０】
以上のことから、トレッド１１のタイヤ赤道を挟んだ両側の内、走行使用頻度の高い側、例えば、走行コースに右コーナーが多く、その上、右コーナーが高速旋回を必要とする旋回半径の大きめの高速コーナーで、タイヤの摩耗が激しい等の場合は、異種ゴム２１の厚みを薄くしてトレッド剛性を高め、摩耗に強くする。
【００７１】
走行使用頻度の低い側は、異種ゴム２１の厚みを厚くしてグリップ力を優先させる。走行使用頻度が低いため、異種ゴム２１が摩耗し易くても、摩耗の進行は、走行使用頻度の高い側と同程度に調節することができる。更に、柔らかいゴムからなる異種ゴム２１は発熱し易いため、走行使用頻度が低くてもトレッド１１の温度を上昇させることができる。レース仕様のタイヤに使用するゴムは、高温になるとグリップするように設計されていることから、１００℃程度の高温にならないとグリップ力が得られ難く、走行使用頻度の低い側に硬いゴムを配置すると、ゴムの歪が小さく発熱が小さいためになかなか高温に達せず、トレッドゴムのグリップ力を得難い。
【００７２】
ところで、走行使用頻度の高い場所で柔らかいゴムを使用すると、直ぐに発熱してトレッド温度が１００℃以上になってしまう。特に、柔らかいゴムを、長時間、使用頻度の高い厳しい入力条件で使用すると、ゴムの内部に気泡が発生し気泡を起点にゴムが破壊される、所謂ブロー現象が起こる。このような観点からも、走行使用頻度の高い側の異種ゴム２１の厚みは薄くして発熱を防止し、使用頻度の低い側の異種ゴム２１の厚みは厚くしてグリップ力を確保すると共に発熱し易くすることが有効となる。
【００７３】
従って、タイヤ赤道の両側で異種ゴム２１の厚みを異ならせることにより、トレッド特性を簡単に調節することができる。しかしながら、上述したように、二輪自動車のトレッドショルダー部１１ｂにおけるトレッド横変位量は、幾何学的構造により決まっており、トレッド１１の全てを柔らかくするとトレッド剪断剛性が低下してしまい、大きな横力を発生することができなくなる。そのため、トレッド表面のみを柔らかくすることにより、トレッド表面でのグリップ力を増加させて剪断変形を大きくすると共に、トレッド内部のゴムを硬くすることで、横力の増加が望める。
【００７４】
トレッド表面の柔らかいゴム（異種ゴム２１）は、路面Ｒの凹凸との食い込みを考えると、その厚み（Ｈ）を、トレッド全体の厚み（Ｄ）、即ち、トレッドゴム１８の厚みの２０％以上、６０％以下にすることが望ましい。トレッド全体の厚み（Ｄ）の２０％未満だと、ゴムの層が薄過ぎて、ゴムが柔らかくても路面Ｒに食い込み難く、また、ゴムが直ぐに磨耗してしまう懸念もある。一般に、路面Ｒのマクロな凹凸は１ｍｍから３ｍｍ程度であり、その範囲をカバーするのに十分な値を設定している。
【００７５】
更に、競技用の一部のタイヤ、例えば、予選に用いるタイヤでは、１周だけ速く走ることができることを目的としており、このようなタイヤの場合、剛性とグリップのバランスから、厚みは薄い方が良く、トレッド全体の厚み（Ｄ）の２０％以上、４０％以下が好ましい。
（第３実施の形態）
【００７６】
この発明の第３実施の形態に係る二輪自動車用空気入りタイヤは、異種ゴム２１（２１ａ，２１ｂ）のタイヤ幅方向におけるトレッド１１の表面に沿う幅（Ｗ）が、タイヤ赤道の両側（図１において、タイヤ赤道面Ｅの左右側）で異なっている。即ち。トレッド表面に設けた異種ゴム２１のゴム幅を、各トレッドショルダー部１１ｂに配置された異種ゴム２１ａと異種ゴム２１ｂで異ならせている。その他の構成及び作用は、第１実施の形態に係る二輪自動車用空気入りタイヤと同様である。
【００７７】
上述したように、走行時のタイヤの路面Ｒと接地する各領域は、以下のようになる。
領域Ａ：最大ＣＡ（４５度〜５５度）のときにのみ使用され、特に、横入力を受けて、最大ＣＡ時の横グリップ力の発生に大きく寄与する（特に、接地部が半月型形状ｂの場合）ものの、摩耗及び発熱の影響を受け易い領域。
領域Ｂ：最大ＣＡ（４５度〜５５度）のときに主体的に使われ、最大ＣＡ時の横グリップ力の発生に大きく寄与（特に、接地部が楕円型形状ａの場合）する。最大ＣＡのとき、また、ＣＡ４０度のときにも接地しており、領域Ａよりは使用頻度が高い。
【００７８】
領域Ｃ：最大ＣＡ（４５度〜５５度）のときにも使われ、更に、最大ＣＡに達する過程（ＣＡ：３０度〜４５度）でも使われて、領域Ａや領域Ｂと比べると明らかに使用頻度が高い。また、ＣＡが４５度のときには、接地形状の中心となって接地長が伸びるため、横方向の剪断も大きくなる。
【００７９】
そのため、例えば、走行使用頻度が非常に多い場合は、領域Ｃにのみ柔らかいゴム（異種ゴム２１）を配置し、領域Ａや領域Ｂの摩耗を抑制する。走行使用頻度がやや多い場合は、領域Ｂと領域Ｃに柔らかいゴムを配置して、グリップを最大限に稼ぐことができるようにする。左旋回と右旋回の頻度が異なるサーキットでは、トレッドにおけるタイヤ赤道の両側それぞれへの横入力の差異を考慮し、走行使用頻度に応じて柔らかいゴムを配置する。これにより、左右それぞれの側への横入力の差異による摩耗のアンバランスを解消し、走行使用頻度の低い側では柔らかいゴムの配置量を増やして少ない横入力でもゴムを発熱し易くし、また、グリップを最大限に稼ぐことができる。
（第４実施の形態）
【００８０】
この発明の第４実施の形態に係る二輪自動車用空気入りタイヤは、異種ゴム２１（２１ａ，２１ｂ）が、タイヤ赤道の両側（図１において、タイヤ赤道面Ｅの左右側）の各トレッドショルダー部１１ｂの何れか一方のみに配置されている。即ち、トレッド１１には、異種ゴム２１ａと異種ゴム２１ｂの何れか一方が設けられている。その他の構成及び作用は、第１実施の形態に係る二輪自動車用空気入りタイヤと同様である。
【００８１】
ここでは、トレッド１１における走行使用頻度が、タイヤ赤道を境に一方の側（例えば、右側）と他方の側（例えば、左側）で極端に異なる場合を対象にしており、トレッド１１のタイヤ赤道を境にした片側にのみ柔らかいゴム（異種ゴム２１）を配置している。つまり、第１実施の形態から第３実施の形態において、トレッド１１において極端に左右差を付けた場合に相当し、トレッド１１のタイヤ赤道を境にした一方の側は、柔らかいゴムを配置せずに耐摩耗性能の強化を優先させることができる。即ち、トレッド１１の走行使用頻度が高い側は、柔らかいゴム（異種ゴム２１）を配置しない。
【００８２】
トレッド１１の走行使用頻度が低い側には、柔らかいゴムを配置するが、走行使用頻度が低いので摩耗量は少ないため、柔らかいゴムを搭載してグリップ力を稼ぐと共に、少ない横入力でも、直ぐにゴムが発熱して必要とする温度に到達させることができる。
次に、上述した構成に基づく二輪自動車用空気入りタイヤ１０（図１参照）を基本構造として、従来例、比較例、及び実施例の各タイヤ（つまり、全て、タイヤセンター部は２層構造を有している）を用意し、各種評価を行った。
【００８３】
従来例のタイヤは、トレッドセンター部表面から両側に広がってトレッドショルダー部まで延長された、１００℃のショアＡ硬度が３５（図１中、Ｍ０と表示）の一種類のゴムにより、厚み７ｍｍでショルダー部トレッドを形成している。
【実施例１】
【００８４】
図１に示す二輪自動車用空気入りタイヤ１０を実施例１のタイヤとした。
トレッド端部の表面に、柔らかいゴム（異種ゴム２１）を配置した。異種ゴム２１の配置幅（トレッド表面のタイヤ幅方向の幅）と深さ（タイヤ径方向長さ）は、タイヤ赤道の両側で異なり、一方の側（図１に面して左側）の異種ゴム２１ａは配置幅Ｗ１、深さＨ１とし、他方の側（図１に面して右側）の異種ゴム２１ｂを配置幅Ｗ２、深さＨ２とする。また、異種ゴム２１の配置を、トレッド端部１１ａから、異種ゴム２１ａのトレッド端部１１ａ側迄の距離Ｌ１、異種ゴム２１ｂのトレッド端部１１ａ側迄の距離Ｌ２とし、異種ゴム２１の１００℃のショアＡ硬度を、異種ゴム２１ａはＭ１、異種ゴム２１ｂはＭ２とする。つまり、タイヤ赤道の両側で異種ゴム２１の各設定値を異ならせている。
【００８５】
なお、トレッド表面側に配置された異種ゴム２１の下方には、１００℃のショアＡ硬度３５（図中、Ｍ０と表示）のゴム、即ち、トレッドゴム１８が配置されている。
また、比較例として、トレッド表面のゴムをタイヤ赤道の両側で同一としたものを用意した。各設定値を、表１にまとめた。
そして、従来例、比較例、及び実施例の各タイヤについて、次の評価を行った。
【００８６】
［ＣＡ５０度の横力（キャンバースラスト）測定］
直径３ｍのスチール製のドラムに＃４０番の紙やすりを貼り付けて、路面に見立てる。タイヤは、リム幅６インチ、リム径１７インチのホイルに組み込み、内圧２００ｋｆｈを充填する。
このタイヤを、ＣＡ５０度、荷重１５００Ｎ、接地面のスリップ角度（Ｓｌｉｐ  Ａｎｇｌｅ：ＳＡ）０度でドラムに押し付け、時速１００ｋｍ／ｈで回転させる。このときの横力を、タイヤの回転軸に取り付けた３分力計により測定し、従来例の横力（１７００Ｎ）を基準値（１００）として指数で表した。
【００８７】
横力の測定は、タイヤが回転し始めてから５分経過後（このとき、タイヤは十分に温まりトレッドショルダー部のトレッド温度は約１００℃になっていた）に、タイヤ赤道の両側のトレッドについて、つまり、タイヤを左右に５０度倒したＣＡ５０度で行った。
［テストコースでの評価］
テストコースにおける熟練ライダーによる実車走行により、総合的な操縦安定性能の試験を実施した。準備したタイヤはリア用であったため、フロントのタイヤは従来のものを用いた。使用した二輪自動車は、排気量１０００ｃｃのレース使用車とし、車体を大きく倒した旋回時操縦安定性（コーナリング性能）を中心に、テストライダーのフィーリングによる１０点満点で総合的に評価した。
【００８８】
旋回評価は、左旋回が多いサーキットをテストコースとして、１周のラップタイム約１３０秒で６周し、右旋回と左旋回のそれぞれで行った。
図６は、サーキット一周におけるバンク角度の使用頻度を示し、（ａ）は今回テストを行ったコースの場合をグラフにより表した説明図、（ｂ）は他のコースの場合をグラフにより表した説明図である。図中、縦軸は、一周に要する時間に対する使用時間の割合（％）を、横軸は、バンク角度を、それぞれ示す。図６に示すように、テストコースとして使用したサーキットは、左旋回コーナーが非常に多く、進行方向左側のトレッドの使用頻度が高いことが分かる（（ａ）参照）。なお、サーキットによっては右旋回と左旋回の使用頻度がほぼ同等の場所もある（（ｂ）参照）。
【００８９】
［摩耗量の評価］
実車走行テストを行う前にタイヤの重量を測定した。テストコースを８周した後に、タイヤに付着したゴムかすや小石等の付着物をきれいに取り除き、タイヤをリムから取り外して、タイヤの重量を測定する。このとき、タイヤをトレッドセンター部のタイヤ赤道面で左右２つに切断し、右側と左側のそれぞれのタイヤの重量を計測した。新品時のタイヤの重量の半分から、左側と右側それぞれの走行後のタイヤの重量を引けば、左側と右側それぞれの摩耗量を計測することができる。
【００９０】
テストコースはコーナーが多かったため、トレッドショルダー部で集中的に磨耗が発生した。つまり、新品時と走行後の重量差がトレッドショルダー部の摩耗量と考えることができるので、従来のタイヤの右側の摩耗重量を基準値（１００）として指数で表し、他のタイヤの磨耗量と比較した。
表１に、従来例、比較例１，２、及び実施例１〜９の各種設定値と評価結果をまとめた。
【００９１】
【表１】
2009051411.tif 000003
【００９２】
考察
実施例１は、右側のトレッド表面の柔らかいゴム（異種ゴム２１ａ）の硬さを、左側（異種ゴム２１ｂ）よりも柔らかくしたものである。この実施例１を、従来例及び比較例１と比べると、従来例は、トレッド表面の柔らかいゴムが全く無い構成であり、比較例１は、トレッド表面の左右両側に対称に同じ硬さ（ショアＡ硬度２５）の柔らかいゴムを配置した。
【００９３】
比較例１は、柔らかいゴムを配置することで、ドラムでの横力指数が向上し、サーキットにおいてもグリップ力が向上し、ラップタイムは短縮された。しかし、左側の摩耗量が多く、周回の後半（６周の走行での５周目と６周目）において、左側のトレッドの摩耗によりグリップ力が失われ、ラップタイムが低下するのが目立った。
これに対し、実施例１は、左側のゴムをやや硬めにしたものであり、左側の旋回走行において走行を重ねてもグリップが低下し難くなった。そのため、ラップタイムが比較例１よりも速く、また、左側の磨耗量が比較例１よりも改善された。
【００９４】
従来例に比べると、実施例１は、摩耗量が改善されると共に、ラップタイムが２秒以上短縮された。
なお、レース仕様のタイヤは、非常に厳しい入力条件で使われるため、走行中に横滑りしたり、エンジントルクでタイヤ周方向に滑ったりする。摩耗は、滑りが大きいと促進される特徴があるため、トレッドに柔らかいゴムを配置してグリップ力を増加させると、滑りが収まって摩耗が改善される場合がある。市販のタイヤの場合は、柔らかいゴムを配置すると、ゴムが摩滅し易く摩耗が進むのが一般的であるが、入力の厳しいサーキット走行においては、逆の現象が見られる場合がある。
【００９５】
今回、従来例に比べ比較例１の摩耗性能が改善されたのは、この影響による。但し、比較例１の左側は、入力に対してあまりにもゴムが柔らか過ぎたために、摩耗の改善量が少なかった。これに比べて、実施例１の左側のゴムは、比較例１よりも硬めであるが摩耗性能が改善されている。
【実施例２】
【００９６】
実施例２は、トレッド端部の表面に、左右両側共に同じ硬さ、同じ幅の柔らかいゴム（異種ゴム２１）を配置しているが、配置したゴムの厚みが左右両側で異なっている。左側は、トレッド表面にのみ、厚さ２ｍｍの柔らかいゴムを配置し、右側は、トレッドショルダー部の全部の厚さに柔らかいゴムを配置している。
配置するゴムの厚みを左右両側で異ならせることにより、トレッド剛性を調整することができる。また、柔らかいゴムを厚く配置することで、少ない使用頻度でも直ぐに発熱して、グリップを発生する適温にトレッドが温められる。
実施例２は、従来例や比較例１よりも評点が高く、サーキットでのラップタイムも短縮した。また、摩耗については、特に、左側が改善された。
【実施例３】
【００９７】
実施例３は、トレッド端部の表面に、左右両側共に同じ硬さ、同じ厚さの柔らかいゴム（異種ゴム２１）を配置しているが、配置したゴムのタイヤ幅方向の幅が異なっており（図１参照）、左側のゴムは幅１５ｍｍ、右側のゴムは幅４５ｍｍとしている。幅１５ｍｍは、トレッド幅の約６％に相当し、配置と合わせて考えると、領域Ｂ（図７参照）の部分に相当する。幅４５ｍｍは、トレッド幅の約１９％に相当し、設定している領域は、領域Ｂ〜領域Ｃ（図７参照）の全てを覆っている。
【００９８】
このサーキットの場合、右側の旋回走行が極端に少ないため、右側のトレッドについては、領域Ｃにまで柔らかいゴムを配置しても摩耗は問題にならなかった。むしろ、右側のゴムを柔らかくしてグリップ力が増加したため、右旋回走行においてタイヤの滑りが抑えられ、磨耗量は柔らかいゴムを配置したにも拘わらず改善された。左側の旋回走行は、入力が厳しく長時間使用するため、領域Ｂ（図７参照）の部分にだけ柔らかいゴムを配置した。左側についても、グリップ力が増加して摩耗量が減少した。
【実施例４】
【００９９】
実施例４は、トレッド端部の表面に、左側は従来と同じで、右側にのみ、柔らかいゴム（異種ゴム２１）を配置している。このようにすれば、製造工程が簡略化して容易になるメリットもある。また、実施例４は、補強ベルト１６の幅をトレッド展開幅の７５％に当たる１８０ｍｍにした。その結果、摩耗量が減少し、サーキットでのラップタイムも従来例に比べて速くなった。
比較例２は、従来例の補強ベルト１６のタイヤ幅方向の幅を１８０ｍｍに変更したものであるが、比較例２と比べても、走行使用頻度の低い右側のトレッドゴムの表面に柔らかいゴムを配置した実施例４は、ラップタイムが短縮されている。これは、走行使用頻度の低い右側のグリップ力が、柔らかいゴムによって向上したからである。
【実施例５】
【０１００】
実施例５は、実施例３の補強ベルト１６のタイヤ幅方向の幅を１８０ｍｍにしたものである（図５参照）。
比較例２は、従来例のスパイラル幅を１８０ｍｍにしたものであるが、従来例に比べてラップタイムが１．５秒短縮している。これに対し、実施例５は、従来例３に比べて、ラップタイムが２秒短縮しており、効果が大きい。また、磨耗量も、大幅な改善が確認された。
【０１０１】
このように、柔らかいゴム（異種ゴム２１）を配置することと、補強ベルト１６の幅を１８０ｍｍに狭くすることを組み合わせると、それぞれの要素を単独で用いるよりも、大きな効果が得られる。
実施例５は、ラップタイムも非常に速く、摩耗量も極めて少ない。
【実施例６】
【０１０２】
実施例６は、タイヤセンター部の内部を、内層ゴム１９と表層ゴム２０を層状に配置して、トレッドセンター部を２層構造とすると共に、表層ゴム２０が柔らかいゴム（異種ゴム２１）に接触しているものである（図２参照）。結果をみると、ラップタイム等を維持しながら、トレッドゴムの種類を減らすことができ、製造コストの低減が可能になる。
【実施例７】
【０１０３】
実施例７は、トレッドセンター部を２層構造とすると共に、損失正接（ｔａｎδ）の低い発熱し難いゴムからなる内層ゴム１９が、トレッドショルダー部近傍まで達している構造である（図３参照）。このように、トレッドの内部に発熱し難いゴムを配置することで、走行を重ねてもトレッドショルダー部の温度が上がり過ぎることがなく、適温を保つことができる。そのため、周回走行の後半においても、安定したラップタイムを計測することができ、その結果、６周の平均のラップタイムは速くなった。
【実施例８】
【０１０４】
実施例８は、実施例７における、損失正接（ｔａｎδ）の低い発熱し難いゴムからなる内層ゴム１９が、トレッドショルダー部１１ｂまで達すると共に、柔らかいゴム（異種ゴム２１）に接触している（図４参照）。これにより、実施例７により得られた性能を保持したまま、トレッドゴムの種類を減らすことができ、製造コストの低減が可能になる。
【実施例９】
【０１０５】
実施例９は、上述した各実施例（１〜８）の良い部分を全て組み合わせた構成を有しており、トレッドの左右両側それぞれのゴムの硬さ、深さ、幅を異ならせ、また、トレッドセンター部の発熱し難い内層ゴム１９を、トレッドショルダー部まで延長させた。その結果、ラップタイムは、従来例に比べて５秒７も速くなり大幅に向上した。また、摩耗量も大幅に低減した。
【０１０６】
このように、本発明の構成を組み合わせることで、相乗的な効果が期待できる。
また、比較例１を基に比較例３〜５を用意すると共に、実施例１を基に、比較例３〜５に相当する実施例１０〜１２を用意して、［ＣＡ５０度の横力（キャンバースラスト）測定］、［テストコースでの評価］、［摩耗量の評価］を行った。
比較例３は、比較例１の構成に、補強ベルト１６のタイヤ径方向外側に、タイヤ赤道に対する角度が９０度の保護ベルト１７を１枚加えた構成を有している。保護ベルト１７は、芳香族ポリアミドの繊維を撚って直径０．６ｍｍとしたものを、打ち込み数５０本／５０ｍｍで形成されている。
【０１０７】
比較例４は、比較例３において、補強ベルト１６と保護ベルト１７の間に、緩衝ゴムを設けた構成を有している。緩衝ゴムは、厚さ０．７ｍｍで、保護ベルト１７に用いているコーティングゴムと同じ種類のゴムを用いて形成されている。
比較例５は、比較例１において補強ベルト１６の代わりにコードの傾斜角度４５度のベルトを配置した構成を有している。
表２に、比較例１，３〜５及び実施例１，１０〜１２の各設定値と評価結果をまとめた。
【０１０８】
【表２】
2009051411.tif 000004
【０１０９】
考察
［補強ベルトの効果］
比較例１と比較例５、及び実施例１と実施例１２から、補強ベルト１６による効果が分かる。この補強ベルト１６を、柔らかいゴム（異種ゴム２１）と一緒に用いると、ラップタイムが大幅に向上すると共に、トレッドの左右両側それぞれの摩耗比率が大きく改善していることが分かる。従って、補強ベルト１６とトレッドショルダー部１１ｂの柔らかいゴム（異種ゴム２１）の組み合わせは、非常に有効である。
【０１１０】
［保護ベルトの効果］
保護ベルト１７の目的は、前述したように、補強ベルト１６の保護のためであるが、実施例１と実施例１０を比較すると、横力（キャンバースラスト）指数が向上している。これは、保護層である、タイヤ赤道方向に対し８０〜９０度の角度で配置された保護ベルト１７は、タイヤ幅方向に剛性を持つ部材であるため、大ＣＡ時の横力を損失なくトレッド全体に伝えることができるためである。このように、保護層だけの機能ではなく、相乗効果として、大ＣＡ時の横力増加を達成するのに非常に有効である。
【０１１１】
［緩衝ゴムの効果について］
実施例１０，１１及び比較例３，４から、緩衝ゴムによる効果が分かる。実施例１０，１１では、保護ベルト１７と補強ベルト１６の間に緩衝ゴムを配置した場合と配置しない場合を比較している。緩衝ゴムのゴムの種類は、保護ベルト１７を覆っているベルトコーティングゴムと同じ種類のゴムであり、それぞれ厚みは０．７ｍｍである。
【０１１２】
このように、緩衝ゴムを配置することで、タイヤ骨格部材のタイヤ幅方向の剪断剛性を強化しながら、タイヤ骨格部材がタイヤ周方向には柔軟に動けるようになり、トレッドのタイヤ周方向の無駄な剪断の発生を緩和することができる。そのため、タイヤの滑りが抑制されて摩耗が減ると共に、グリップも改善される。更に、摩耗量は、極めて少ない。これは、競技用タイヤは、グリップ力が増すと滑りが減って耐摩耗性能が良くなるからである。
【０１１３】
なお、比較例３，４に比べ、実施例１０，１１の効果は大きい。これは、本発明のトレッドショルダー部１１ｂの表面の柔らかいゴム（異種ゴム２１）と補強ベルト１６を狭くすることが、タイヤのグリップ力を高めており、それに加え、緩衝ゴムを配置することで、タイヤのグリップ力が飛躍的に向上し、タイヤが滑り難く耐摩耗性能が向上したからである。このように、単に、緩衝ゴムを設けるのではなく、本発明に係る構成を組み合わせることで、相乗的に効果を高めることができる。
【０１１４】
このように、本発明に係る二輪自動車用空気入りタイヤは、横グリップ力を向上させて摩耗しても横グリップ力を維持することができる。また、特に、競技用タイヤとして使用したときに、グリップ力と耐摩耗性に優れたタイヤを提供することができる。更に、サーキットのコースレイアウト特性により、二輪自動車の走行に際しトレッドのタイヤ赤道の両側それぞれの利用頻度が異なる場合に、旋回走行時の操縦安定性能（横グリップ）の向上、トレッドショルダー部のトレッド摩耗の防止、トレッドのタイヤ赤道面の両側それぞれの摩耗進行の均一化を図ることができる。
【図面の簡単な説明】
【０１１５】
【図１】この発明の第１実施の形態に係る二輪自動車用空気入りタイヤのタイヤ幅方向に沿う断面説明図である。
【図２】内層ゴム及び表層ゴムの配置状態の他の例（その１）を示す、図１と同様な断面説明図である。
【図３】内層ゴム及び表層ゴムの配置状態の他の例（その２）を示す、図１と同様な断面説明図である。
【図４】内層ゴム及び表層ゴムの配置状態の他の例（その３）を示す、図１と同様な断面説明図である。
【図５】補強ベルトの他の配置例を示す、図１と同様な断面説明図である。
【図６】サーキット一周におけるバンク角度の使用頻度を示し、（ａ）は今回テストを行ったコースの場合をグラフにより表した説明図、（ｂ）は他のコースの場合をグラフにより表した説明図である。
【図７】二輪自動車が旋回走行する場合のタイヤ幅方向断面におけるトレッド変形を示す説明図である。
【図８】二輪自動車が旋回走行する場合のタイヤ周方向断面におけるトレッド変形を示す説明図である。
【符号の説明】
【０１１６】
１０  二輪自動車用空気入りタイヤ
１１  トレッド
１１ａ  トレッド端部
１１ｂ  トレッドショルダー部
１２  サイドウォール
１３  ビード部
１４  ビードワイヤ
１５  カーカス
１６  補強ベルト
１７  保護ベルト
１８  トレッドゴム
１９  内層ゴム
２０  表層ゴム
２１，２１ａ，２１ｂ  異種ゴム
Ｒ  路面
【図１】
2009051411.tif 000005
【図２】
2009051411.tif 000006
【図３】
2009051411.tif 000007
【図４】
2009051411.tif 000008
【図５】
2009051411.tif 000009
【図６】
2009051411.tif 000010
【図７】
2009051411.tif 000011
【図８】
2009051411.tif 000012